(57)【要約】【課題】  インターネットに代表される双方向通信網を利用して入札者等の地理的、時間的拘束を軽減するとともに、入札対象である物件の出品者側には、より高い落札額を得る機会を提供し、入札者側には、他者の入札額をある程度踏まえた上で強く落札を希望する物件に対する入札額の設定を可能とする入札方法及び入札システムを提供する。【解決手段】  本入札システム１は、サーバ２と端末機３とが双方向通信網であるインターネット４を介してデータを送受信可能に接続されており、該サーバ２に端末機３がアクセスすることにより、入札を行うための各ウェブページが端末機３に表示されるようになっている。サーバ２は、入札会を運営する主催者が設置しており、端末機３は、入札に参加する事業者、例えば中古車両の販売会社等が夫々所持している。【選択図】  図１
2005352930.tif 000002
【特許請求の範囲】
【請求項１】
サーバ及び端末機により双方向通信網を介して物件の入札を行う方法であって、
出品者又は主催者が、サーバに入札対象となる物件の情報を入力し、
主催者が該物件の一次入札期間及び二次入札期間を入力し、
サーバが、該物件の情報及び一次入札期間を双方向通信網を介してアクセス可能な画面に提示し、
入札者が、端末機により双方向通信網を介してサーバにアクセスして物件の情報及び一次入札期間を閲覧し、所望の物件に対して一次入札期間内に一次入札額を入力し、
サーバが、一次入札期間内に入力された一次入札額及び入札者を物件毎に記憶して、最高一次入札額若しくは最低一次入札額、及び入札者を主催者の要求に応じて提示し、
サーバが、一次入札期間経過後に、前記物件の最高一次入札額若しくは最低一次入札額、及び二次入札期間を双方向通信網を介してアクセス可能な画面に提示し、
一次入札者が、端末機により双方向通信網を介してサーバにアクセスして前記物件の最高一次入札額若しくは最低一次入札額、及び二次入札期間を閲覧し、該物件に対して二次入札期間内に最高一次入札額より高い二次入札額若しくは最低一次入札額より低い二次入札額を入力し、
サーバが、二次入札期間内に入力された二次入札額及び入札者を物件毎に記憶して、最高二次入札額若しくは最低二次入札額、及び入札者を主催者の要求に応じて提示し、
主催者が、二次入札期間経過後に最高二次入札額の入札者若しくは最低二次入札額の入札者に前記物件を落札することを特徴とする入札方法。
【請求項２】
最高二次入札額若しくは最低二次入札額を入札した複数の二次入札者に対して、該二次入札者が入札した一次入札額が最も高い者若しくは最も低い者に前記物件を落札することを特徴とする請求項１記載の入札方法。
【請求項３】
前記サーバが、前記物件が落札された後、該物件の二次入札額又は一次入札額のうち最高金額若しくは最低金額から所定の順位までの金額を双方向通信網を介してアクセス可能な画面に提示することを特徴とする請求項１又は２記載の入札方法。
【請求項４】
入札者の識別情報をサーバに予め登録し、入札者が端末機により双方向通信網を介してサーバにアクセスする際に、サーバが登録された入札者であるかを確認することを特徴とする請求項１乃至３のいずれかに記載の入札方法。
【請求項５】
前記サーバが、入札者が落札した物件を入札者の要求に応じて提示することを特徴とする請求項１乃至４のいずれかに記載の入札方法。
【請求項６】
サーバ及び端末機により双方向通信網を介して物件の入札を行うシステムであって、
前記サーバが、入札対象となる物件の情報、一次入札期間、及び二次入札期間を入力するための物件情報入力手段と、入力された物件の情報、一次入札期間、二次入札期間、一次入札者並びに一次入札額、及び二次入札者並びに二次入札額を物件情報データベースとして格納する記憶手段と、前記物件情報データベースから物件の情報、一次入札期間、二次入札期間、及び最高一次入札額を抽出して、双方向通信網を介してアクセス可能な入札画面を生成する入札画面生成手段と、前記物件情報データベースから一次入札者及び一次入札額を抽出して、一次入札額の順位に従って表示してなる一次入札結果画面を生成する一次入札結果画面生成手段と、前記物件情報データベースから二次入札者及び二次入札額を抽出して、二次入札額の順位に従って表示してなる二次入札結果画面を生成する二次入札結果画面生成手段と、最高二次入札額の入札者若しくは最低二次入札額の入札者を物件の落札者として前記物件情報データベースに格納する落札処理手段とを具備してなるものであり、
前記端末機が、双方向通信網を介してサーバにアクセスし、前記入札画面において所望の物件に対する入札額を送信するものであることを特徴とする入札システム。
【請求項７】
前記落札処理手段は、最高二次入札額若しくは最低二次入札額を入札した複数の二次入札者に対して、該二次入札者が入札した一次入札額が最も高い若しくは最も低い者を落札者とするものであることを特徴とする請求項６記載の入札システム。
【請求項８】
前記サーバは、落札された物件の二次入札額のうち最高金額若しくは最低金額から所定の順位までの金額を抽出して、双方向通信網を介してアクセス可能な入札結果画面を生成する入札結果画面生成手段を具備することを特徴とする請求項６又は７記載の入札システム。
【請求項９】
前記サーバは、前記記憶手段により入札者の識別情報を登録者データベースとして格納し、且つ、双方向通信網を介して画面要求した端末機に識別情報を求め、入力された識別情報が前記登録者データベースに格納された識別情報と合致する場合にアクセス許可を与えるアクセス制限手段を具備することを特徴とする請求項６乃至８のいずれかに記載の入札システム。
【請求項１０】
前記サーバは、前記物件情報データベースから所定の入札者が落札した物件を抽出して、双方向通信網を介してアクセス可能な落札照会画面を生成する落札照会画面生成手段を具備することを特徴とする請求項６乃至９のいずれかに記載の入札システム。
【発明の詳細な説明】
【技術分野】
【０００１】
本発明は、サーバ及び端末機により双方向通信網を介して物件の入札を行う入札方法及び入札システムに関する。
【背景技術】
【０００２】
入札やオークションでは、会場へ出向いて物件を確認したり、入札に関する資料等を提出したりする必要があったが、インターネットのような双方向通信網を介してサーバと端末機で入札物件の情報や入札価格の送受信が可能なシステムが考案され、入札者等の地理的、時間的拘束が軽減されてきている。特に、中古車両等のように大型で輸送の時間や経費が多大な物件では、物件を展示する会場が不要となることにより、会場費や輸送費が大幅に節約され、また、入札物件を出品する業者や入札に参加する業者が所定範囲の地域に限定されないという利点もある。
【０００３】
このようなオークションとして、例えば、インターネット上で開催される全損車両のオークションが知られている。このオークション開催システムは、車両情報入力部、サーバ等が電話回線を通じてインターネットに接続され、オークション開催のためのホームページがオークション運営本部によりインターネット上に開設されるようになっている。このような全損車両のオークションによれば、損害保険会社は自動車保険事故により発生した全損車両を出品し、自動車リサイクル部品取扱業者が出品された全損車両を入札し、落札するようになっており、全国の損害保険会社の営業所等で発生した多くの台数の全損車両を、数多くの潜在的な部品取扱業者に対しグローバルに提示して、全損車両の販売を大きな規模で行うことができるという利点がある（特許文献１参照）。このようなオークションでは、入札期間内での価格吊上げ方式であり、通常、入札締め切り後に最も高い入札額を提示した入札を落札と決定し、一方、入札がなかった場合や入札が最低入札額に達しなかった場合には流札と判定して、全損車両を再入札のために再度出品するか、廃棄処分にしている。
【０００４】
また、ネットワークを介してウェブブラウザ上で見積額を入札する公開見積装置において、購入側が予め設定した購入先数や安全購入先数等に基づいて、入札された見積額が購入先数に対応する順位より高い見積額の場合に、購入先の圏外であるので更に小さい見積額の再入札を促すメッセージを通知し、安全購入先数に対応する順位より高い見積額の場合に、購入先の圏内であるが優位ではないので購入先の対象外となるおそれがある旨のメッセージを通知するものがある（特許文献２参照）。これにより、購入者側にとっては、最安値を公開することなく、見積額の低減を図ることができ、一方、入札者側にとっては、物品購入先として採用される可能性を知ることができるという利点がある。
【０００５】
また、インターネットを介したオークションシステムにおいて、同一の競売商品に対し、入札価格に上限の制限を行わずに最高入札価格から順に落札者を決定する第一のオークションロットと、第一のオークションロットの落札価格を基準として算定した上限と下限の入札制限価格範囲の入札のみを受付けて最高入札価格から順に落札者を決定する第二のオークションロットを設け、第一のオークションロットの落札者判定の後に第二のオークションロットのオークションを行うものがある（特許文献３参照）。価格吊上げ方式の通常のオークションを第一のオークションロットで行い、その後に、再度同一競売商品のオークションを第二のオークションロットで入札制限価格範囲を設けて行うことにより、当該競売商品を是非入手したい希望者に再度入札の機会を提供し、先のオークション価格を基準とした合理的な入札価格で落札させることができる。
【０００６】
【特許文献１】特開２００１−２６５９６５号公報
【特許文献２】特開２００３−２７１８４８号公報
【特許文献３】特開２００２−４９７８８号公報
【発明の開示】
【発明が解決しようとする課題】
【０００７】
インターネットを介したオークションや入札により、入札者等の地理的、時間的拘束が軽減されたとはいえ、オークションでは、入札時間の終了間際に最高入札額が更新されることが多く、落札するには終了間際の入札額の更新を確認しておく必要があり、やはり時間的な拘束を受ける。また、オークションや入札では、一般に、出品者側はできるだけ高い落札価格を希望し、一方、入札者側はできるだけ安い落札価格で物件の入手を希望する。しかし、前述したように、価格吊上げ方式のオークションでは入札時間の終了間際に最高入札額が小幅に更新されることが多く、更に高い入札額を準備している入札者が存在したとしても、入札時間の終了間際の小幅な入札額の更新の状態で終了時刻が到来し、更に高い入札額が入力されないまま落札されていることがあり得る。他方、入札者側にとっては、落札できるのであれば更に高い入札額であっても、物件の入手を希望することもある。したがって、出品者側は、より高い落札額を得る機会を希望し、入札者側は、他の入札者の入札額をある程度踏まえた上で、強く落札を希望する物件に対する入札額を設定したいという希望がある。
【０００８】
例えば、前記公開見積装置のように、入札時に落札圏内であるか等のメッセージが通知され、入札者が現在の入札状況をある程度把握して入札を行えるとしても、その後に更に小さい見積額が入札されれば落札圏外となる得るので、やはり入札期間の終了間際に再入札を行う者が集中すると考えられ、入札者側の時間的拘束は通常のオークションと同様である。また、オークションでは同一人が何度も再入札できるので、購入先の圏外或いは優位ではない旨のメッセージが表示されなくなるまで見積額を小幅に下げて入力すれば最も小さい見積額を容易に予想し得る。したがって、最低見積額を表示したオークションと比較して、一層の見積額の低減は期待できないおそれがある。
【０００９】
一方、競売商品を２つのオークションロットに分けてオークションを行う前記オークションシステムは、同一の競売商品が多数ある場合には有用であるものの、例えば中古車両のように、物件によって商品価値が異なる所謂現物限りのものでは採用できない。
【００１０】
本発明は、これらの点に鑑みてなされたものであり、インターネットに代表される双方向通信網を利用して入札者等の地理的、時間的拘束を軽減するとともに、入札対象である物件の出品者側には、より高い落札額を得る機会を提供し、入札者側には、他者の入札額をある程度踏まえた上で強く落札を希望する物件に対する入札額の設定を可能とする入札方法及び入札システムを提供することを目的とする。
【課題を解決するための手段】
【００１１】
本発明に係る入札方法は、サーバ及び端末機により双方向通信網を介して物件の入札を行う方法であって、出品者又は主催者が、サーバに入札対象となる物件の情報を入力し、主催者が該物件の一次入札期間及び二次入札期間を入力し、サーバが、該物件の情報及び一次入札期間を双方向通信網を介してアクセス可能な画面に提示し、入札者が、端末機により双方向通信網を介してサーバにアクセスして物件の情報及び一次入札期間を閲覧し、所望の物件に対して一次入札期間内に一次入札額を入力し、サーバが、一次入札期間内に入力された一次入札額及び入札者を物件毎に記憶して、最高一次入札額若しくは最低一次入札額、及び入札者を主催者の要求に応じて提示し、サーバが、一次入札期間経過後に、前記物件の最高一次入札額若しくは最低一次入札額、及び二次入札期間を双方向通信網を介してアクセス可能な画面に提示し、一次入札者が、端末機により双方向通信網を介してサーバにアクセスして前記物件の最高一次入札額若しくは最低一次入札額、及び二次入札期間を閲覧し、該物件に対して二次入札期間内に最高一次入札額より高い二次入札額若しくは最低一次入札額より低い二次入札額を入力し、サーバが、二次入札期間内に入力された二次入札額及び入札者を物件毎に記憶して、最高二次入札額若しくは最低二次入札額、及び入札者を主催者の要求に応じて提示し、主催者が、二次入札期間経過後に最高二次入札額の入札者若しくは最低二次入札額の入札者に前記物件を落札することを特徴とする。
【００１２】
また、本発明は、前記入札方法において、最高二次入札額若しくは最低二次入札額を入札した複数の二次入札者に対して、該二次入札者が入札した一次入札額が最も高い者若しくは最も低い者に前記物件を落札することを特徴とするものである。
【００１３】
また、本発明は、前記入札方法において、前記サーバが、前記物件が落札された後、該物件の二次入札額又は一次入札額のうち最高金額若しくは最低金額から所定の順位までの金額を双方向通信網を介してアクセス可能な画面に提示することを特徴とする。
【００１４】
また、本発明は、前記入札方法において、入札者の識別情報をサーバに予め登録し、入札者が端末機により双方向通信網を介してサーバにアクセスする際に、サーバが登録された入札者であるかを確認することを特徴とする。
【００１５】
また、本発明は、前記入札方法において、前記サーバが、入札者が落札した物件を入札者の要求に応じて提示することを特徴とする。
【００１６】
本発明に係る入札システムは、サーバ及び端末機により双方向通信網を介して物件の入札を行うシステムであって、前記サーバが、入札対象となる物件の情報、一次入札期間、及び二次入札期間を入力するための物件情報入力手段と、入力された物件の情報、一次入札期間、二次入札期間、一次入札者並びに一次入札額、及び二次入札者並びに二次入札額を物件情報データベースとして格納する記憶手段と、前記物件情報データベースから物件の情報、一次入札期間、二次入札期間、及び最高一次入札額を抽出して、双方向通信網を介してアクセス可能な入札画面を生成する入札画面生成手段と、前記物件情報データベースから一次入札者及び一次入札額を抽出して、一次入札額の順位に従って表示してなる一次入札結果画面を生成する一次入札結果画面生成手段と、前記物件情報データベースから二次入札者及び二次入札額を抽出して、二次入札額の順位に従って表示してなる二次入札結果画面を生成する二次入札結果画面生成手段と、最高二次入札額の入札者若しくは最低二次入札額の入札者を物件の落札者として前記物件情報データベースに格納する落札処理手段とを具備してなるものであり、前記端末機が、双方向通信網を介してサーバにアクセスし、前記入札画面において所望の物件に対する入札額を送信するものであることを特徴とする。
【００１７】
また、本発明は、前記入札システムにおいて、前記落札処理手段は、最高二次入札額若しくは最低二次入札額を入札した複数の二次入札者に対して、該二次入札者が入札した一次入札額が最も高い若しくは最も低い者を落札者とするものであることを特徴とする。
【００１８】
また、本発明は、前記入札システムにおいて、前記サーバは、落札された物件の二次入札額のうち最高金額若しくは最低金額から所定の順位までの金額を抽出して、双方向通信網を介してアクセス可能な入札結果画面を生成する入札結果画面生成手段を具備することを特徴とする。
【００１９】
また、本発明は、前記入札システムにおいて、前記サーバは、前記記憶手段により入札者の識別情報を登録者データベースとして格納し、且つ、双方向通信網を介して画面要求した端末機に識別情報を求め、入力された識別情報が前記登録者データベースに格納された識別情報と合致する場合にアクセス許可を与えるアクセス制限手段を具備することを特徴とする。
【００２０】
また、本発明は、前記入札システムにおいて、前記サーバは、前記物件情報データベースから所定の入札者が落札した物件を抽出して、双方向通信網を介してアクセス可能な落札照会画面を生成する落札照会画面生成手段を具備することを特徴とする。
【発明の効果】
【００２１】
本発明に係る入札方法によれば、出品者又は主催者が、サーバに入札対象となる物件の情報を入力し、主催者が該物件の一次入札期間及び二次入札期間を入力し、サーバが、該物件の情報及び一次入札期間を双方向通信網を介してアクセス可能な画面に提示し、入札者が、端末機により双方向通信網を介してサーバにアクセスして物件の情報及び一次入札期間を閲覧し、所望の物件に対して一次入札期間内に一次入札額を入力し、サーバが、一次入札期間内に入力された一次入札額及び入札者を物件毎に記憶して、最高一次入札額若しくは最低一次入札額、及び入札者を主催者の要求に応じて提示し、サーバが、一次入札期間経過後に、前記物件の最高一次入札額若しくは最低一次入札額、及び二次入札期間を双方向通信網を介してアクセス可能な画面に提示し、一次入札者が、端末機により双方向通信網を介してサーバにアクセスして前記物件の最高一次入札額若しくは最低一次入札額、及び二次入札期間を閲覧し、該物件に対して二次入札期間内に最高一次入札額より高い二次入札額若しくは最低一次入札額より低い二次入札額を入力し、サーバが、二次入札期間内に入力された二次入札額及び入札者を物件毎に記憶して、最高二次入札額若しくは最低二次入札額、及び入札者を主催者の要求に応じて提示し、主催者が、二次入札期間経過後に最高二次入札額の入札者若しくは最低二次入札額の入札者に前記物件を落札することとしたので、双方向通信網を利用して入札者等の地理的、時間的拘束を軽減するとともに、入札対象である物件の出品者側には、より高い落札額を得る機会を提供し、入札者側には、他者の入札額をある程度踏まえた上で強く落札を希望する物件に対する入札額の設定を可能とすることができる。
【００２２】
また、本発明によれば、前記入札方法において、最高二次入札額若しくは最低二次入札額を入札した複数の二次入札者に対して、該二次入札者が入札した一次入札額が最も高い者若しくは最も低い者に前記物件を落札することとしたので、最高一次入札額若しくは最低一次入札額を参照するための形式的な一次入札を行った入札者が二次入札で落札する可能性が低くなり、一次入札からより高い若しくは低い額が入札されるようになる。
【００２３】
また、本発明によれば、前記入札方法において、前記サーバが、前記物件が落札された後、該物件の二次入札額又は一次入札額のうち最高金額若しくは最低金額から所定の順位までの金額を双方向通信網を介してアクセス可能な画面に提示することとしたので、入札者は入札情報の一部を知ることができ、その後の入札の参考にすることができる。
【００２４】
また、本発明によれば、前記入札方法において、入札者の識別情報をサーバに予め登録し、入札者が端末機により双方向通信網を介してサーバにアクセスする際に、サーバが登録された入札者であるかを確認することとしたので、例えば入札会を会員制にして、契約等により予め必要な取決めを主催者と交わした会員のみ登録してサーバにアクセス可能とすれば、入札会や物件の引渡し等の取引の安全性が高まるという利点がある。
【００２５】
また、本発明によれば、前記入札方法において、前記サーバが、入札者が落札した物件を入札者の要求に応じて提示することとしたので、入札者が自己の落札情報を容易に入手できる。
【００２６】
本発明に係る入札システムによれば、サーバ及び端末機により双方向通信網を介して物件の入札を行うシステムであって、前記サーバが、入札対象となる物件の情報、一次入札期間、及び二次入札期間を入力するための物件情報入力手段と、入力された物件の情報、一次入札期間、二次入札期間、一次入札者並びに一次入札額、及び二次入札者並びに二次入札額を物件情報データベースとして格納する記憶手段と、前記物件情報データベースから物件の情報、一次入札期間、二次入札期間、及び最高一次入札額を抽出して、双方向通信網を介してアクセス可能な入札画面を生成する入札画面生成手段と、前記物件情報データベースから一次入札者及び一次入札額を抽出して、一次入札額の順位に従って表示してなる一次入札結果画面を生成する一次入札結果画面生成手段と、前記物件情報データベースから二次入札者及び二次入札額を抽出して、二次入札額の順位に従って表示してなる二次入札結果画面を生成する二次入札結果画面生成手段と、最高二次入札額の入札者若しくは最低二次入札額の入札者を物件の落札者として前記物件情報データベースに格納する落札処理手段とを具備してなるものであり、前記端末機が、双方向通信網を介してサーバにアクセスし、前記入札画面において所望の物件に対する入札額を送信するものであることとしたので、双方向通信網を利用して入札者等の地理的、時間的拘束を軽減するとともに、入札対象である物件の出品者側には、より高い落札額を得る機会を提供し、入札者側には、他者の入札額をある程度踏まえた上で強く落札を希望する物件に対する入札額の設定を可能とすることができる。
【００２７】
また、本発明によれば、前記入札システムにおいて、前記落札処理手段は、最高二次入札額若しくは最低二次入札額を入札した複数の二次入札者に対して、該二次入札者が入札した一次入札額が最も高い若しくは最も低い者を落札者とするものであることとしたので、最高一次入札額若しくは最低一次入札額を参照するための形式的な一次入札を行った入札者が二次入札で落札する可能性が低くなり、一次入札からより高い若しくは低い額が入札されるようになる。
【００２８】
また、本発明によれば、前記入札システムにおいて、前記サーバは、落札された物件の二次入札額のうち最高金額若しくは最低金額から所定の順位までの金額を抽出して、双方向通信網を介してアクセス可能な入札結果画面を生成する入札結果画面生成手段を具備することとしたので、入札者は双方向通信網を介して入札情報の一部を容易に入手できる。
【００２９】
また、本発明によれば、前記入札システムにおいて、前記サーバは、前記記憶手段により入札者の識別情報を登録者データベースとして格納し、且つ、双方向通信網を介して画面要求した端末機に識別情報を求め、入力された識別情報が前記登録者データベースに格納された識別情報と合致する場合にアクセス許可を与えるアクセス制限手段を具備することとしたので、例えば入札会を会員制にして、契約等により予め必要な取決めを主催者と交わした会員のみ登録してサーバにアクセスさせる場合に、登録した会員以外の者が入札会の種々情報を閲覧することを禁止できる。
【００３０】
また、本発明によれば、前記入札システムにおいて、前記サーバは、前記物件情報データベースから所定の入札者が落札した物件を抽出して、双方向通信網を介してアクセス可能な落札照会画面を生成する落札照会画面生成手段を具備することとしたので、入札者は双方向通信網を介して自己の落札情報を容易に入手できる。
【発明を実施するための最良の形態】
【００３１】
以下、本発明の実施の形態を図面に基づき具体的に説明する。
図１は、本発明の実施の形態に係る入札システム１の概略構成を示すものである。図に示すように、サーバ２と端末機３とが双方向通信網であるインターネット４を介してデータを送受信可能に接続されており、該サーバ２に端末機３がアクセスすることにより、入札を行うための各ウェブページが端末機３に表示されるようになっている。本実施の形態では、本入札システム１を用いて中古車両の入札を行う場合を例に説明する。サーバ２は、入札会を運営する主催者が設置しており、本入札会では、主催者が入札対象となる中古車両を出品する場合と、主催者の他に中古車両を出品する出品者が存在する場合とがある。一方、端末機３は、入札に参加する事業者、例えば中古車両の販売会社等が夫々所持している。
【００３２】
サーバ２は、入札を行うウェブページを提供するためのウェブサーバ２０と、物件情報データベース２１及び登録者データベース２２を格納するためのハードディスクドライブ等の記憶装置（記憶手段）を有するデータベースサーバ２３と、物件の情報や、一次入札期間、二次入札期間等を入力するための入力部（物件情報入力手段）２４とを備えている。
【００３３】
図には示していないが、ウェブサーバ２０及びデータベースサーバ２３は、ＣＰＵやＲＡＭ等からなる制御部を有しており、該制御部に予めインストールされたコンピュータプログラムにより、ウェブサーバ２０が、物件の情報、一次入札期間、二次入札期間、及び最高一次入札額を表示した入札画面を生成する入札画面生成手段、一次入札額を順位に従って表示した一次入札結果画面を生成する一次入札結果画面生成手段、二次入札額を順位に従って表示した二次入札結果画面を生成する二次入札結果画面生成手段、最高二次入札額の入札者を物件の落札者として処理する落札処理手段、落札された物件の二次入札額のうち所定の順位までの金額を表示した入札結果画面を生成する入札結果画面生成手段、サーバ２にアクセスしようとする端末機３に識別情報を求め、入力された識別情報が前記登録者データベース２２に格納された識別情報と合致する場合にアクセス許可を与えるアクセス制限手段、及び所定の入札者が落札した物件を表示した落札照会画面を生成する落札照会画面生成手段として機能し、各処理を実行するようになっている。
【００３４】
また、データベースサーバ２３は、キーボードやマウス等の入力部２４から主催者が入力した情報や、インターネットを介して端末機３から入力された情報を物件情報データベース２１及び登録者データベース２２に格納するようになっている。該端末機３は、インターネットに接続可能なコンピュータ等であり、所謂パソコンや携帯電話等で構成される。
【００３５】
物件情報データベース２１には、出品者や、所有者、車名、色、登録番号、車台番号、型式・類別、排気量、車種、初度登録、車検満了日、走行距離、査定情報等の物件情報、一次入札期間、二次入札期間、一次入札者並びに一次入札額、及び二次入札者並びに二次入札額が格納される。一方、登録者データベース２２には、登録者の事業者名や、所在地、電話番号、ファクシミリ番号等の登録者情報、ユーザＩＤ、及びパスワードが格納される。これら物件情報データベース２１及び登録者データベース２２は、データベースサーバ２３が具備するハードディスク等の記憶手段に所定の情報が格納されることにより構成されている。
【００３６】
つぎに、本入札システム１を用いて実現される入札方法について説明する。図２は、本入札方法の各ステップを示したフローチャートであり、図３〜１３は、各ステップで表示される画面の例である。
本入札方法は、インターネットを介して前記サーバ２及び端末機３が双方向通信可能に接続され、サーバ２によりウェブページ上で入札会が開催され、入札者は端末機３からウェブページにログインして入札会に参加するようになっている。また、本入札方法では、入札が一次入札及び二次入札の二段階で行われる。入札者は一次入札期間中に所望の物件に対して一次入札を行い、一次入札期間経過後に最高一次入札額を確認して、その後の二次入札期間に二次入札を行う。この二次入札において最高金額を入札した入札者が物件を落札できる。以下、詳細に説明する。
【００３７】
まず、入札対象となる中古車両の出品者は、データベースサーバ２３に当該中古車両の物件情報を入力する（Ｓ１）。なお、出品者は、本入札システム１により入札会を運営する主催者であっても主催者と契約した事業者であってもよい。主催者が物件情報を入力する場合は前記入力部２４から入力を行い、契約業者が物件情報を入力する場合は、予めユーザＩＤ及びパスワードを主催者と契約業者とで取決めしておき、端末機３によりインターネットを介してサーバ２にアクセスした契約業者のログインをユーザＩＤ及びパスワードにより管理して、端末機３からの物件情報の入力を許可する。物件情報は、出品者や、所有者、車名、色、登録番号、車台番号、型式・類別、排気量、車種、初度登録、車検満了日、走行距離、査定情報等であり、必要に応じて必須情報と任意情報とに分けてもよい。また、査定情報として、車両状態を説明するテキスト及び画像ファイルが入力される。入力された物件情報は、データベースサーバ２３により物件情報データベース２１に格納される。このような物件情報は、中古車両を入札会に出品する際に入力しても、入札会に出品する前に予め物件情報を物件情報データベース２１に格納しておき、任意の時期に入札会への出品処理ができるようにしてもよい。物件情報を予め登録しておく場合は、契約業者は現在登録している物件の一覧画面をウェブサーバ２０に要求することができ、ウェブサーバ２０は、ログインしている契約業者のユーザＩＤから該当する出品者の登録物件をデータベースサーバ２３に要求し、データベースサーバ２３が物件情報データベース２１から抽出して送信した物件情報等から物件の所有者や車名、登録番号、出品処理の有無を表示した一覧画面を作成して端末機３に送信する。さらに、主催者は、中古車両を入札会に出品する際に、当該中古車両の一次入札期間を入力する（Ｓ１）。入力された一次入札期間はデータベースサーバ２３に送信されて物件情報データベース２１に格納される。
【００３８】
このようにして、主催者により入札対象として物件情報データベース２１に物件情報及び一次入札期間が入力された中古車両は、例えば翌営業日にウェブサーバ２０が開催する入札会の対象物件として出品される。詳細には、ウェブサーバ２０からの要求により、データベースサーバ２３が該当営業日に入札対象となっている物件情報及び一次入札期間を抽出して出力し、該出力に基づいてウェブサーバ２０が入札対象物件の情報及び一次入札期間を表示した入札画面のウェブページを作成する。入札者は、端末機３からインターネットを介してサーバ２にアクセスし、該ウェブページを閲覧できる。該ウェブページを閲覧可能な入札者は、予め入札会の主催者と入札に関する取決めを交わした会員の事業者である。会員にはユーザＩＤ及びパスワードが識別情報として付与されており、全会員のユーザＩＤ及びパスワードが、事業者名や、所在地、電話番号、ファクシミリ番号等の登録者情報とともに登録者データベース２２に格納されている。入札者が端末機３によりインターネットを介してサーバ２にアクセスすると、ウェブサーバ２０が端末機３にログイン画面を送信し、該ログイン画面において入力されたユーザＩＤ及びパスワードをウェブサーバ２０が受けてデータベースサーバ２３に照会要求し、データベースサーバ２３が登録者データベース２２から該ユーザＩＤに対応するパスワードを抽出して出力し、前記ログイン画面で入力されたパスワードとデータベースサーバ２３が出力したパスワードが一致するかにより、ウェブサーバ２０はアクセスしている端末機３が登録した会員からのアクセスであるかを確認する。ウェブサーバ２０は、会員からのアクセスであればログインを許可して前記ウェブページの閲覧を可能とし、会員からのアクセスでなければログインを許可せずに再度ログイン画面を送信する。このように、入札会を会員制にして、契約等により予め必要な取決めを主催者と交わした会員のみを登録してウェブサーバ２０にアクセス可能とすれば、入札会や物件の引渡し等の取引の安全性が高まるという利点がある。
【００３９】
図３及び図４は、入札者が入札対象物件の一覧を閲覧する際に端末機３に表示される入札画面の一例である。該入札画面は、図３に示す一覧の画面と図４に示す物件別の画面により構成されている。図３に示すように、一覧の入札画面には、入札対象となっている中古車両の登録番号、車名、入札期間、入札額等を含むテーブルが表示される。該テーブルは、図に示すように１０物件毎の表示となっており、他のテーブルを表示するには画面中の「次ページ」の表示にマウスのポインタ等を合わせてクリックする。テーブルでは、一次入札期間中の中古車両と二次入札期間中の中古車両とが混在して表示されており、入札期間の欄の表示は、一次入札期間又は二次入札期間のいずれかであり、入札期間の表示の後に「＊」（アスタリスク）が付与されているものは二次入札期間であり、付与されていないものは一次入札期間である。入札者は、画面上のテーブルに希望する中古車両があれば、現在一次入札期間中であるかを確認して、その欄の「入札」の表示にポインタを合わせてクリックする。ウェブサーバ２０は、これを受けて、当該中古車両の物件情報をデータベースサーバ２３に要求し、データベースサーバ２３は物件情報データベース２１から物件情報を読み出して出力し、これを受けてウェブサーバ２０は物件別の入札画面を端末機３に送信する。
【００４０】
図４は、物件別の入札画面の一例である。図３に示した一覧の入札画面において、例えば、一次入札期間中である３段目の車名「イーエフワゴン」の欄の「入札」の表示をクリックすると、図４に示す画面が端末機３に表示される。図４に示すように、物件別の入札画面には、車名、色、登録番号、車台番号、型式・類別、排気量、車種、初度登録、車検満了日、走行距離、査定情報等の物件情報が表示され、車両状態を説明するテキスト及び画像ファイルがある場合には、該テキスト及び画像も表示される。さらに入札額の入力欄が表示されており、物件情報を確認して入札を行う場合には、入札者は当該欄に入札額を入力する（Ｓ２）。入力後に画面中の「処理」の表示にポインタを合わせてクリックすると、端末機３からウェブサーバ２０へ入札額が送信される。これを受けたウェブサーバ２０は、一次入札として入札額及びユーザＩＤをデータベースサーバ２３に出力し、該データベースサーバ２３は、当該物件に対応させて、一次入札として入札額及びユーザＩＤを含む入札情報を物件情報データベース２１に格納する。入札を行わずに他の中古車両の情報を閲覧する場合には、画面中の「戻る」の表示にポインタを合わせてクリックすると、前記入札画面に戻る。入札を行っていれば、図３に示した一覧の入札画面において、「入札額」の欄に当該入札者が入札した額が表示される。このようにして、サーバ２は、一次入札期間内に複数の入札者からの一次入札を受け付ける。
【００４１】
一次入札期間が経過した後、主催者は落札処理画面で二次入札の条件を入力できる。主催者は前記入力部２４からサーバ２にアクセスして落札処理画面を要求する。この落札処理画面の要求に対して、データベースサーバ２３は入札期間が経過している物件を抽出して出力し、これに基づいてウェブサーバ２０が落札処理画面を作成する。
【００４２】
図５及び図６は、主催者が二次入札の条件を入力する際に表示される落札処理画面の一例である。該落札処理画面は、図５に示す一覧の画面と図５に示す物件別の画面により構成されている。図５に示すように、落札処理画面には入札期間が経過した物件の登録番号、車名、入札期間、入札件数等を含むテーブルが表示される。このテーブルでも、一次入札期間が経過した中古車両と二次入札期間が経過した中古車両とが混在して表示されており、前述と同様に、入札期間の欄の表示に「＊」（アスタリスク）が付与されているものは二次入札期間であり、付与されていないものは一次入札期間である。主催者は、画面上のテーブルで入札件数を確認して、その欄の「落札」の表示にポインタを合わせてクリックする。ウェブサーバ２０は、これを受けて、当該中古車両の物件情報をデータベースサーバ２３に要求し、データベースサーバ２３は物件情報データベース２１から物件情報及び入札情報を読み出して出力し、これを受けてウェブサーバ２０が物件別の落札処理画面を表示する。
【００４３】
図６は、物件別の落札処理画面の一例である。図５に示した一覧の落札処理画面において、例えば、一次入札期間が経過した３段目の車名「イーエフワゴン」の欄の「選択」の表示をクリックすると、図６に示す画面が表示される。図６に示すように、物件別の落札処理画面には、物件情報や車両状態のテキストとともに、一次入札結果が表示される。この中古車両では一次入札として４件の入札があり、入札者及び入札額が最高額から順に一次入札結果の欄に表示される。この画面において、主催者が画面中の「条件変更」の表示にポインタを合わせてクリックすると、二次入札を行うために入札条件欄の入札期間に二次入札期間を入力することができるので二次入札期間として例えば一営業日が決められているのであれば一次入札期間経過後の一営業日を新たな入札期間として入力し、入札初期値は最高一次入札額である５万５千円を入力する。該二次入札期間及び最高一次入札額はウェブサーバ２０へ送信され、これを受けたウェブサーバ２０は、二次入札期間及び最高一次入札額を車両名等の物件を識別できる物件情報とともにデータベースサーバ２３に出力し、該データベースサーバ２３は、当該物件に対応させて二次入札期間及び最高一次入札額を入札情報として物件情報データベース２１に格納する。なお、二次入札期間は、一次入札期間の末日に対応して、例えば一次入札期間経過後の一営業日中のようにサーバ２によって自動的に設定されるようにしてもよい。
【００４４】
一次入札期間を終えた物件は、図７の入札画面に示すように、入札期間の欄の表示の後に「＊」（アスタリスク）が付与して端末機３に表示される（Ｓ３）。一次入札を行った入札者は、一次入札期間経過後に本画面で最高一次入札額を確認し、自己の入札額が最高一次入札額でない場合には、当該中古車両に対して更に高い価格で二次入札をするか、当該中古車両の落札を断念するかを選択できる。自己の入札額が最高一次入札額である場合であっても、他の者が更に高い価格で二次入札すると判断すれば、より高い価格で二次入札を行うことができる。勿論、他の者が二次入札を行わないと判断すれば、二次入札を行わなくてもよい。二次入札を行う場合には、所望の中古車両が現在二次入札期間中であるかを確認して、その欄の「入札」の表示にポインタを合わせてクリックする。例えば、図７に示した一覧の入札画面において、一次入札を行っており且つ二次入札期間中である車名「イーエフワゴン」の欄の「入札」の表示をクリックする。これにより、前述と同様に、図６に示すような物件別の入札画面が端末機３に表示されるので、一次入札者は、入札額の入力欄に入札額を入力して「処理」の表示をクリックする（Ｓ４）。これにより、端末機３からウェブサーバ２０へ入札額が送信され、これを受けたウェブサーバ２０は、二次入札として入札額及びユーザＩＤをデータベースサーバ２３に出力し、該データベースサーバ２３は、当該物件に対応させて、二次入札として入札額及びユーザＩＤを含む入札情報を物件情報データベース２１に格納する。
【００４５】
ここで、二次入札に参加できるのは当該物件に対して一次入札を行った入札者のみであり、一次入札を行わずに二次入札をしても当該物件を落札できない。このような処理は、前述した二次入札の入札額の入力は受け付けて、落札処理において主催者又はサーバ２が一次入札の有無を確認するようにしても、また、ウェブサーバ２０が端末機３から二次入札の入札額の送信を受けた際に、データベースサーバ２３に入札者の一次入札の有無を照会し、物件情報データベース２１の入札情報に当該物件について一次入札を行っている入札者であることが確認できれば二次入札を受け付け、一次入札を行っていなければ二次入札に参加できない旨のメッセージを端末機３の画面に表示するようにしてもよい。
【００４６】
二次入札期間が経過した後、主催者は、図８に示した落札処理画面で落札処理を行う。図に示すように、二次入札期間が経過した物件では、入札期間の欄の表示に「＊」（アスタリスク）が付与されており、主催者は、二次入札期間が経過した物件の欄の「落札」の表示をクリックして物件別の落札処理画面を表示させる。例えば、図８に示した一覧の落札処理画面において、二次入札期間が経過した車名「イーエフワゴン」の欄の「選択」の表示をクリックすると、図９に示す物件別の落札処理画面が表示される。この物件別の落札処理画面では、入札結果として前述した一次入札結果とともに、二次入札者の入札者及び入札額が最高額から順に表示される。ここで、最高二次入札額の入札者に当該物件が落札される。例えば、主催者は、最高二次入札額を入札した入札者である「Ｘ自動車」が一次入札を行っているかを確認し、「Ｘ自動車」の欄の「落札」の表示にポインタを合わせてクリックする（Ｓ５）。これにより、落札者及び落札額がウェブサーバ２０へ送信され、これを受けたウェブサーバ２０は、落札者「Ｘ自動車」及び落札額「６万円」を中古車両の登録番号「宮城５００ト００００」等の物件を識別できる物件情報とともにデータベースサーバ２３に出力し、該データベースサーバ２３は、当該物件に対応させて落札者及び落札額を落札情報として物件情報データベース２１に格納する。なお、二次入札者が一次入札を行っているか否かの確認を容易ならしめるため、前記物件別の落札処理画面において最高額から順に表示された二次入札者及び入札額の欄に、一次入札額や一次入札時の順位、若しくは一次入札の有無を示すマーク等を表示するようにしてもよい。もちろん、前述したように、二次入札の際に一次入札の有無を確認して入札を受け付けている場合には、主催者は落札処理時に一次入札の有無を確認する必要はない。
【００４７】
また、同額の最高二次入札額を入札した者が複数人である場合は、該複数人の入札者の中で一次入札額が最も高い者に当該物件が落札される。例えば、図９に示した二次入札者の「Ｘ自動車」の二次入札額と「イロハ自動車」の二次入札額とが同額であるとすれば、一次入札額の高い「イロハ自動車」が落札することとなる。また、当該物件について二次入札がない場合には、最高一次入札額を入札した入札者に当該物件が落札される。このように落札者を決めることにより、最高一次入札額を参照するための形式的な一次入札を行った入札者が二次入札で落札する可能性が低くなり、一次入札からより高い額が入札されるようになる。
【００４８】
このように落札処理がされた後、主催者が落札者に当該物件の引取りを指示し、これに基づいて落札者引取り手配を行う。落札者が当該物件を引き取ると、引取り完了報告を行い、所定の金額を主催者に支払う。出品者が主催者以外の事業者の場合には、該事業者は主催者から落札額の支払いを受ける。図には示していないが、このような引取り指示や引取り完了報告も、サーバ２と端末機３とで行うようにしてもよい。
【００４９】
一方、入札者は、入札結果画面で入札結果を確認することができる。図１０及び図１１は、入札結果画面の一例である。該入札結果画面は、図１０に示す一覧の画面と図１１に示す物件別の画面により構成されている。図１０に示すように、一覧の画面には、入札が行われた中古車両の登録番号、車名、入札期間を含むテーブルが表示される。入札者は、入札を行った中古車両があれば、その欄の「表示」の表示にポインタを合わせてクリックする。ウェブサーバ２０は、これを受けて、当該中古車両の物件情報及び入札情報をデータベースサーバ２３に要求し、データベースサーバ２３は物件情報データベース２１から物件情報及び入札情報を読み出して出力し、これを受けてウェブサーバ２０は物件別の入札結果画面を端末機３に送信する。
【００５０】
例えば、図１０に示した一覧の画面において、車名「イーエフワゴン」の欄の「表示」をクリックすると、図１１に示す物件別の画面が表示される。図に示すように、本画面には、車名、色、登録番号、車台番号、型式・類別、排気量、車種、初度登録、車検満了日、走行距離等の物件情報が表示され、さらに二次入札結果の上位４位までの入札額が表示され、二次入札がなかった場合には一次入札結果が同様に表示される。これにより、入札者は上位の入札額を知ることができ、その後の入札の参考にすることができる。「イーエフワゴン」では二次入札は２件だったので２位までが表示される。なお、二次入札結果及び一次入札結果の双方とも表示するようにしてもよく、また、表示すべき順位も適宜変更できる。他の入札結果を閲覧する場合には、画面中の「戻る」の表示にポインタを合わせてクリックすると、図１０に示した一覧の画面に戻る。
【００５１】
また、入札者は、落札照会画面で自己が落札した物件を確認することができる。図１２及び図１３は、落札照会画面の一例である。該落札照会画面は、図１２に示す一覧の画面と図１３に示す物件別の画面により構成されている。図１２に示すように、一覧の落札照会画面には、当該入札者が落札した中古車両の登録番号、車名、落札額等含むテーブルが表示される。さらに、落札した中古車両の詳細を閲覧したい場合は、その欄の「選択」の表示にポインタを合わせてクリックすると、ウェブサーバ２０が、当該中古車両の物件情報及び落札情報をデータベースサーバ２３に要求し、データベースサーバ２３は物件情報データベース２１から物件情報及び落札情報を読み出して出力し、これを受けてウェブサーバ２０は物件別落札照会画面を端末機３に送信する。例えば、図１２に示した一覧の画面において、車名「イーエフワゴン」の欄の「選択」をクリックすると、図１３に示す物件別の画面が表示される。物件別の落札照会画面には、図１３に示すように、車名、色、登録番号、車台番号、型式・類別、排気量、車種、初度登録、車検満了日、走行距離、査定情報等の物件情報が表示され、車両状態を説明するテキスト及び画像ファイルがある場合には、該テキスト及び画像が表示され、さらに落札金額が表示される。他の落札物件の情報を閲覧する場合には、画面中の「戻る」の表示にポインタを合わせてクリックすると、図１２に示した一覧の落札照会画面に戻る。これにより、入札者は自己の落札情報を容易に入手できる。
【００５２】
このように、本入札処理方法によれば、インターネットを利用して入札者等の地理的、時間的拘束を軽減するとともに、入札対象である物件の出品者側には、より高い落札額を得る機会を提供し、入札者側には、他者の入札額をある程度踏まえた上で強く落札を希望する物件に対する入札額の設定を可能にできる。特に中古車両のように現物限りの物件の入札を行う場合に本入札方法の効果が大きい。
【００５３】
なお、本実施の形態では入札対象となる物件が中古車両である場合を例に説明したが、本発明に係る入札方法及び入札システムの入札対象物件は中古車両に限定されない。また、落札も最高二次入札額に限らず、物件によっては最低二次入札額に落札する場合もあり得る。その場合には、本入札方法は、出品者側により低い落札額を得る機会を提供するものとなる。
【図面の簡単な説明】
【００５４】
【図１】本発明の実施の形態に係る入札システム１の構成を示すブロック図である。
【図２】本発明の実施の形態に係る入札方法の主要ステップを示すフローチャートである。
【図３】一覧の入札画面を示す図である。
【図４】物件別の入札画面を示す図である。
【図５】一覧の落札処理画面を示す図である。
【図６】物件別の落札処理画面を示す図である。
【図７】一覧の入札画面を示す図である。
【図８】一覧の落札処理画面を示す図である。
【図９】物件別の落札処理画面を示す図である。
【図１０】一覧の入札結果画面を示す図である。
【図１１】物件別の入札結果画面を示す図である。
【図１２】一覧の落札照会画面を示す図である。
【図１３】物件別の落札照会画面を示す図である。
【符号の説明】
【００５５】
１  入札システム
２  サーバ
３  端末機
４  インターネット（双方向通信網）
２１  物件情報データベース
２２  登録者データベース
２４  入力部（物件情報入力手段）
【図１】
2005352930.tif 000003
【図２】
2005352930.tif 000004
【図３】
2005352930.tif 000005
【図４】
2005352930.tif 000006
【図５】
2005352930.tif 000007
【図６】
2005352930.tif 000008
【図７】
2005352930.tif 000009
【図８】
2005352930.tif 000010
【図９】
2005352930.tif 000011
【図１０】
2005352930.tif 000012
【図１１】
2005352930.tif 000013
【図１２】
2005352930.tif 000014
【図１３】
2005352930.tif 000015